【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
装置本体に設けられ、トナー像を担持する像担持体と、
前記像担持体に担持されたトナー像を記録材に転写する転写部材を具備する転写ユニットと、
前記転写ユニットを可動に保持し、前記装置本体に可動に取り付けられる開閉扉と、
前記開閉扉に可動に保持された第１ローラと、前記装置本体に設けられた第２ローラとを含み、前記転写部材によって前記像担持体に担持されたトナー像が転写される記録材を搬送するローラ対と、
前記開閉扉の回動に連動するように前記装置本体に設けられ、前記転写部材が前記像担持体に当接した状態で前記転写ユニットを前記装置本体に位置決めする転写位置決め部材と、
前記開閉扉の回動に連動するように前記装置本体に設けられ、前記ローラ対の前記第１ローラと前記第２ローラとが当接した状態で前記１ローラを前記装置本体に位置決めするローラ位置決め部材と、
を有し、
前記開閉扉を開くときに、前記転写位置決め部材が前記開閉扉に及ぼす操作力のピークのタイミングが、前記ローラ位置決め部材が前記開閉扉に及ぼす操作力のピークのタイミングとは異なることを特徴とする画像形成装置。
【請求項２】
前記開閉扉は、前記開閉扉を閉じる動作に伴って前記転写ユニットを位置決めする位置へ前記転写位置決め部材を移動させるように前記転写位置決め部材をガイドする第１ガイドを有することを特徴とする請求項１に記載の画像形成装置。
【請求項３】
前記開閉扉は、前記開閉扉を閉じる動作に伴って前記第１ローラを位置決めする位置へ前記ローラ位置決め部材を移動させるように前記ローラ位置決め部材をガイドする第２ガイドを有することを特徴とする請求項１または２に記載の画像形成装置。
【請求項４】
装置本体に設けられ、トナー像を担持する像担持体と、
前記像担持体に担持されたトナー像を記録材に転写する転写部材であって、前記像担持体とで前記記録材を挟む転写ニップ部を形成する転写部材を有する転写ユニットと、
前記装置本体に回動可能に支持され、前記転写ユニットを移動可能に保持する開閉扉と、
前記開閉扉に移動可能に保持される第１ローラと、前記装置本体に配置される第２ローラとを含み、前記像担持体に担持されたトナー像が前記転写部材によって転写される記録材を前記転写ニップ部に搬送するローラ対と、
前記装置本体に配置され、前記開閉扉の回動と連動し、前記転写部材が前記像担持体に接触した状態で前記転写ユニットを位置決めする転写位置決め部材と、
前記装置本体に配置され、前記開閉扉が閉められた状態において、前記第２ローラに接触する前記第１ローラを位置決めするローラ位置決め部材と、
前記開閉扉に配置され、前記開閉扉の閉じ動作に従って前記第１ローラを位置決めする位置に前記ローラ位置決め部材を移動させる移動部と、
を有することを特徴とする画像形成装置。
【請求項５】
前記転写ユニットは、前記装置本体に配置される溝に係合可能な回転中心部を有し、前記回転中心部が前記溝に係合することによって、前記転写ユニットは前記回転中心部を中心に回転可能であることを特徴とする請求項１乃至４のいずれか１項に記載の画像形成装置。
【請求項６】
前記開閉扉を開く際の前記転写位置決め部材により定まるピーク圧と、前記ローラ位置決め部材により定まるピーク圧のタイミングが異なることを特徴とする請求項４に記載の画像形成装置。
【請求項７】
前記開閉扉を閉めるときに、前記転写位置決め部材により定まる前記開閉扉に及ぼす操作圧力のピークのタイミングが、前記ローラ位置決め部材により定まる前記開閉扉に及ぼす操作圧力のピークのタイミングとは異なることを特徴とする請求項１乃至６のいずれか１項に記載の画像形成装置。
【請求項８】
前記転写ユニットと前記開閉扉との間に前記転写ユニットを押圧する弾性部材が配置されることを特徴とする請求項１乃至７のいずれか１項に記載の画像形成装置。
【請求項９】
前記開閉扉を閉める際に、前記転写ユニットは、前記開閉扉の方向に追従する前記第１ローラの移動量を規制するバックアップ部を有し、
前記開閉扉を閉める際、前記第１ローラは、該第１ローラが前記ローラ位置決め部材により位置決めされる前に、前記第１ローラを位置決めするために前記装置本体に形成された係合穴へ案内されることを特徴とする請求項１乃至８のいずれか１項に記載の画像形成装置。
【請求項１０】
前記開閉扉に配置され、前記開閉扉の閉じ動作に従って、前記転写位置決め部材を、前記転写ユニットを位置決めする位置に移動させる第２移動部を有することを特徴とする請求項４に記載の画像形成装置。
【請求項１１】
前記転写ユニットに設けられ、前記転写部材を前記像担持体に押圧することにより、前記転写部材と前記像担持体との間に転写ニップ圧を生じさせる転写バネを有し、
前記開閉扉を閉じられた状態で、前記転写位置決め部材は、前記転写ユニットを介して前記転写バネからの力を受けることを特徴とする請求項１乃至１０のいずれか１項に記載の画像形成装置。
【請求項１２】
前記ローラ対に挟持圧を与える付勢バネをさらに有し、
前記開閉扉を閉じられた状態で、前記ローラ位置決め部材は、前記付勢バネからの力を受けることを特徴とする請求項１乃至１１のいずれか１項に記載の画像形成装置。
【請求項１３】
装置本体に設けられ、トナー像を担持する像担持体と、
前記像担持体とで記録材を挟持する転写ニップ部を形成し、前記像担持体に担持されたトナー像を記録材に転写する転写ユニットと、
前記装置本体に可動に取り付けられる開閉扉と、
前記開閉扉に可動に保持された第１ローラと、前記装置本体に設けられた第２ローラとを含み、前記像担持体に担持されたトナー像が前記転写ユニットによって転写される記録材を前記転写ニップ部に搬送するローラ対と、
前記開閉扉の回動に連動するように前記装置本体に可動に設けられ、前記開閉扉が閉じた状態で前記第２ローラに当接する前記第１ローラを位置決めするローラ位置決め部材と、
前記開閉扉に設けられ、前記装置本体に対する前記開閉扉の閉動作に応じて前記第１ローラを位置決めする位置にローラ位置決め部材を移動させる移動部と、
を有することを特徴とする画像形成装置。
【請求項１４】
前記開閉扉を開いた状態では、前記移動部は前記ローラ位置決め部材に接触せず、前記開閉扉の閉じ動作の過程で前記移動部は前記ローラ位置決め部材に接触することを特徴とする請求項１３に記載の画像形成装置。
【請求項１５】
前記ローラ対に挟持圧を与える付勢バネを有し、
前記開閉扉を閉じられた状態で、前記ローラ位置決め部材は、前記付勢バネからの力を受けることを特徴とする請求項１３または１４に記載の画像形成装置。
【手続補正２】
【補正対象書類名】明細書
【補正対象項目名】０００９
【補正方法】変更
【補正の内容】
【０００９】
上記目的を達成するための本発明の代表的な構成は、装置本体に設けられ、トナー像を担持する像担持体と、前記像担持体に担持されたトナー像を記録材に転写する転写部材を具備する転写ユニットと、前記転写ユニットを可動に保持し、前記装置本体に可動に取り付けられる開閉扉と、前記開閉扉に可動に保持された第１ローラと、前記装置本体に設けられた第２ローラとを含み、前記転写部材によって前記像担持体に担持されたトナー像が転写される記録材を搬送するローラ対と、前記開閉扉の回動に連動するように前記装置本体に設けられ、前記転写部材が前記像担持体に当接した状態で前記転写ユニットを前記装置本体に位置決めする転写位置決め部材と、前記開閉扉の回動に連動するように前記装置本体に設けられ、前記ローラ対の前記第１ローラと前記第２ローラとが当接した状態で前記１ローラを前記装置本体に位置決めするローラ位置決め部材と、を有し、前記開閉扉を開くときに、前記転写位置決め部材が前記開閉扉に及ぼす操作力のピークのタイミングが、前記ローラ位置決め部材が前記開閉扉に及ぼす操作力のピークのタイミングとは異なることを特徴とする。